(57)【要約】【課題】本発明は、閉鎖位置にある時のカバーと駆動装置との接触応力を低減し、ねじブロックが摩損を生じることを防止するソケットコネクタを提供することを目的とする。【解決手段】本発明のソケットコネクタはＣＰＵを回路基板に電気的に接続することに用いられ、ベースと、カバーと、複数の導電端子と、ねじブロックを有する駆動装置と、を含み、ベースにマトリックスに配列される複数の端子穴が設けられ、ベースの一側に収容室が設けられ、導電端子は前記複数の端子穴に収容され、カバーはベースに摺動可能に取り付けられ、駆動装置はねじブロックの回転によりカバーを駆動してベースに沿って摺動する。【選択図】　　図１
2004047440.tif 000002
【特許請求の範囲】
【請求項１】
ＣＰＵを回路基板に電気的に接続することに用いられるソケットコネクタであって、
マトリックスに構成される複数の端子穴を有するベースと、
前記ベースに摺動可能に取り付けられるカバーと、
前記ベースの端子穴内に収容される複数の導電端子と、
前記ベースに取り付けられる駆動レバーと、該駆動レバーにカバーと接触できるねじブロックと、駆動レバーと接続する操作アームと、を含み、該ねじブロックの一側は平らでない駆動面であり、他側は平面であり、駆動面においてカバーに作用する作用点と前記平面との距離は一定ではなく、且つ前記距離が最大の作用点は両端部側縁の間の駆動面に位置決めされた駆動装置と、
を備えたことを特徴とするソケットコネクタ。
【請求項２】
前記駆動面と前記平面との距離が最大の作用点は最高凸点とされ、作用点が駆動レバーの軸線方向に沿って移動する距離はねじブロックの突出量であり、ソケットコネクタは開放位置から閉鎖位置に至る過程中に、まずねじブロックの突出量は徐々に増え、前記最高凸点に至る際に、ねじブロックの突出量が最大になり、この時、ＣＰＵのピンは導電端子と完全に接触し且つ電気的に接続し、引き続きねじブロックが回転するに従って、突出量が小さくなり、操作アームが水平位置に位置することを特徴とする請求項１記載のソケットコネクタ。
【請求項３】
前記ベースは更に駆動レバーを収容するための収容室と、カバーと摺動可能に接合する案内部と、駆動装置の操作アームを収容する固着部と、を含んでいることを特徴とする請求項２記載のソケットコネクタ。
【請求項４】
前記カバーのベースの端子穴と対応する所に端子穴と合わせてＣＰＵのピンを収容するための複数のピン穴が設けられ、カバーは摺動部及び貫通孔を有し、該摺動部はベースの案内部に摺動することができることを特徴とする請求項３記載のソケットコネクタ。
【請求項５】
前記カバーはねじブロックを収容する貫通孔を有していることを特徴とする請求項２または３記載のソケットコネクタ。
【請求項６】
前記ソケットコネクタは更に蓋板、固着具及びロックボードを含んでいることを特徴とする請求項４記載のソケットコネクタ。
【請求項７】
前記ねじブロックの突出量が最大に至る時のねじブロックの回転角度はソケットコネクタが閉鎖位置にある時の回転角度と１０〜２０度の間隔を有していることを特徴とする請求項２記載のソケットコネクタ。
【請求項８】
前記ねじブロックの突出量が最大に至る際に、ねじブロックとカバーとの接触応力が最大になり、操作アームはソケットコネクタの閉鎖状態にある所に至る際に、駆動レバーとカバーとの接触応力が最大接触応力より小さく形成されていることを特徴とする請求項２記載のソケットコネクタ。
【発明の詳細な説明】
【０００１】
【発明の属する技術分野】
本発明は、ソケットコネクタに関し、特にチップモジュールをプリント回路基板に電気的に接続することに用いられるゼロ挿入力ソケットコネクタに関するものである。
【０００２】
【従来の技術】
ゼロ挿入力ソケットコネクタはコンピューター業界に広く応用され、チップモジュール（例えばＣＰＵ）を搭載して回路基板に取り付けることに用いられている。特許文献１乃至特許文献４及び非特許文献１は一般に見られるようなソケットコネクタを提示している。当該ソケットコネクタは複数の導電端子を収容する複数の端子穴を有するベースと、該ベースに摺動可能に取り付けられるカバーと、該ベース及びカバーに取り付けられる駆動装置と、を含む。該駆動装置はその上に設けられるねじブロックによりカバーを駆動してＣＰＵのピンがベースの導電端子と離脱する時の開放位置からＣＰＵのピンがベースの導電端子と機械的且つ電気的に接続する時の閉鎖位置へと摺動する。駆動装置のねじブロックの両辺が互いに平行することによって、ねじブロックがその駆動面の辺縁で回転する時だけ、カバーの行程は最大になり、この時、ねじブロックの端部とカバーとの間で生じる比較的大きな押圧応力を耐え、該応力により高温または低温の環境中で亜鉛合金から作られてなるねじブロックは塑性変形を生じやすく、損傷を受ける。従って、カバーはベースに沿って摺動行程が不足し、カバーは既定位置に到達せず、ＣＰＵのピンとソケットコネクタの導電端子との電気的な接続効果に対して悪い影響を与えることになる（例えば特許文献５参照）。
【０００３】
【特許文献１】
米国特許第５７３０６１５号明細書
【特許文献２】
米国特許第５５９７３１８号明細書
【特許文献３】
米国特許第５４８９２１７号明細書
【特許文献４】
米国特許第５４５６６１３号明細書
【特許文献５】
米国特許第６２８０２２３号明細書
【非特許文献１】
「ペンティアム（登録商標）４効果完全評定（Ｐｅｎｔｉｕｍ（登録商標）４　効能完全評比）」，ラン！ピーシー（ＲＵＮ！ＰＣ）、（台湾），台湾旗訊科技股ふん有限公司，２００１年６月，ｐ．３３
【０００４】
【発明が解決しようとする課題】
本発明は、閉鎖位置にある時のカバーと駆動装置との接触応力を低減し、ねじブロックが摩損を生じることを防止するソケットコネクタを提供することを目的とする。
【０００５】
【課題を解決するための手段】
前記目的を達成するために、本発明のソケットコネクタはＣＰＵを回路基板に電気的に接続することに用いられ、ベースと、カバーと、複数の導電端子と、ねじブロックを有する駆動装置と、を含み、ベースにマトリックスに配列される複数の端子穴が設けられ、ベースの一側に収容室が設けられ、導電端子は前記複数の端子穴に収容され、カバーはベースに摺動可能に取り付けられ、駆動装置はねじブロックの回転によりカバーを駆動してベースに沿って摺動する。前記ねじブロックの突出量が最大になる時のねじブロックの回転角度はソケットコネクタが閉鎖位置にある時の回転角度と一定の角度間隔を有している。これによって、ねじブロックは最後の１０〜２０度の突出中に応力が釈放され、ねじブロックは高温の環境中に塑性変形を生じ摩損を受けることを回避する。
【０００６】
【発明の実施の形態】
図１を参照すると、本発明のソケットコネクタ１はゼロ挿入力ソケットコネクタであり、ベース１０と、ベース１０に摺動可能に取り付けられるカバー２０と、ベース１０とカバー２０との間に組立てられる駆動装置３０と、を含む。
【０００７】
前記ベース１０にマトリックスに配列され導電端子（図示せず）を収容するための複数の端子穴１１が設けられ、ベース１０の一端に収容室１２が設けられ、該収容室１２の両側にソケットの上、下表面を貫通する１対の貫通溝１６が設けられ、ベース１０の収容室１２の付近に貫通溝１６に対して垂直し且つベース１０を貫通する開口１５が設けられている。ベース１０の貫通溝１６に対して平行する両側に案内部１３が設けられ、開口部１５と対向する所にベース１０から外へ固着部１４が延伸して設けられる。
【０００８】
図１及び図２を参照すると、カバー２０にマトリックスに配列される複数のピン穴２１が設けられ、チップモジュールのピン（図示せず）を挿入するために、当該ピン穴２１の分布はベース１０の端子穴１１の分布と同様に形成される。カバー２０のベース１０の収容室１２と対応する所に貫通孔２２が設けられ、該貫通孔２２の両側には１対のロック部（図示せず）が設けられ、該ロック部はベース１０の貫通溝１６を貫通してベース１０に係止する。カバー２０の両側にはベース１０の案内部１３に沿って摺動できる摺動部２３が設けられている。
【０００９】
図１及び図３を参照すると、前記駆動装置３０はベース１０の収容室１２に収容される駆動レバー３２及び該駆動レバー３２に対して垂直しベース１０の固着部１４に収容される操作アーム３１を含み、該駆動レバー３２はねじブロック３３を有し、駆動レバー３２及びねじブロック３３はねじの伝動原理によりカバー２０を駆動してベース１０に沿って摺動させ、ねじの突出量の変化を通じてソケットコネクタ１は開放位置または閉鎖位置に位置する。ねじブロック３３の一側は平らでない駆動面３３ａであり、他側は平面３３ｂであり、駆動面３３ａの縁部にある点はねじブロックの作用点であり、駆動面３３ａにおいてカバーに作用する作用点と反対側の他側面３３ｂとの距離は一定ではなく、且つ距離が最大の作用点は両端部側縁間の駆動面に位置され、即ち、駆動面３３ａの両端部と他側面３３ｂとの距離が最大ではなく、前記駆動面３３ａと他側面３３ｂとの距離が最大の作用点は最高凸点Ｅである。作用点は駆動レバーの軸線方向に沿って移動する距離はねじブロックの突出量であり、ソケットコネクタ１は開放位置から閉鎖位置に至る過程中に、ねじブロック３３は回転してその駆動面はカバー２０を駆動して摺動し、ねじブロックの突出量の変化に従って、駆動面３３ａの作用点は反対側の他側面３３ｂとの距離が徐々に増え、ソケットコネクタが閉鎖位置に近付く。即ち最高凸点Ｅに至る際に、ねじの突出量が最大になり、この時、ＣＰＵのピンはソケットコネクタ１の導電端子（図示せず）と完全に接触し且つ電気的に接続する。ねじブロック３３が続いて回転するに従って、即ち、作用点はＥ点からＦ点に摺動する過程中に、駆動面の作用点は反対側の他側面３３ｂとの距離が徐々に小さくなり、ねじの突出量も小さくなり、Ｆ点に至る際に、操作アーム３１が水平位置に位置し且つ閉鎖状態である。従って、ねじブロック３３の突出量が最大に至る時のねじブロック３３の回転角度はソケットコネクタ１が閉鎖位置にある時の回転角度と１０〜２０度の間隔を有している。操作アーム３１が水平位置に位置する前に、ねじブロック３３はカバー２０を駆動してＣＰＵがソケットコネクタ１の導電端子と完全に接触する終止状態にあり、ねじブロック３３の突出量が最大に至る時の作用点はソケットコネクタ１が閉鎖位置にある時の作用点と異なる位置に位置されることによって、従来の技術の欠点を克服することになる。操作アーム３１が水平位置から垂直位置に回転する際に、作用点はＥ点からＦ点を越え、ＣＰＵのピンとソケットコネクタ１の導電端子との電気的な接続が断たれる。
【００１０】
図１を参照すると、前記ソケットコネクタ１は更に蓋板４０、固着具５０及び１対のロックボード６０を含む。蓋板４０は金属から作られてなり、且つカバー２０の貫通孔２２に固着し、蓋板４０に駆動装置３０のねじブロック３３を収容するための不規則的な形状に形成される収容孔４１が設けられる。固着具５０はベース１０の開口１５に取り付けられる。ロックボード６０はベース１０の貫通溝１６に収容され、カバー２０はベース１０と離脱することを防止する。
【００１１】
組み立てる際に、駆動装置３０はベース１０に取り付けられ、駆動レバー３２は収容室１２に収容され、その一端は開口１５内にある固着具５０に押圧され、操作アーム３１は固着部１４に収容される。固着具５０はベース１０の開口１５に取り付けられる。カバー２０の貫通孔２２は蓋板４０によって遮蔽され一体になった後、ベース１０に取り付けられ、カバー２０のロック部はベース１０の貫通溝１６に取り付けられ、ロックボード６０は貫通溝１６に係止され且つロック部の周りに位置決めされることによって、カバー２０はベース１０から離脱することを防止する。駆動装置３０の操作アーム３１は水平位置から傾斜位置に回転するまたは傾斜位置から水平位置に回転し、カバー２０はベース１０に対して「Ａ」方向に沿って運動し、ＣＰＵのピンとソケットコネクタ１の導電端子とを電気的に接続し、または切断することを実現し得る。
【００１２】
図３乃至図５を参照すると、前記図４はソケットコネクタ１が閉鎖する過程中に、ねじブロック３３とカバー２０との接触応力を示した見取り図であり、そのＹ軸は操作アーム３１は切断位置から回転する角度を示し、そのＸ軸はねじブロック３３とカバー２０との接触応力を示した。図４の「Ａ」曲線は従来のソケットコネクタにより形成されたものであり、駆動面が平面であることによって、ソケットコネクタが閉鎖する際に、ねじブロック３３とカバー２０との接触点Ｅ’はねじブロックの突出量が最大な所であり、この時、ねじブロック３３とカバー２０との接触応力が最大であり且つこの接触応力が維持される。図４の「Ｂ」曲線は本発明のソケットコネクタのねじブロック３３とカバー２０との接触応力の変化図であり、図３を併せて参照すると、操作アーム３１の回転に従って、接触応力が徐々に増え、閉鎖位置に到達しようとする際に、即ち操作アーム３１が「Ｑ１」角度に回転する際に、ねじブロックの突出量が最大になり、作用点Ｅがカバー２０と接触し、この時接触応力が最大になり、操作アーム３１は「Ｑ３」角度即ち閉鎖位置に回転する際に、ねじブロック３３のＦ点がカバー２０と接触し、ねじブロック３３とカバー２０との接触応力は最大の接触応力より小さくなることによって、ねじブロック３３とカバー２０との間で生じる比較的大きな押圧応力を耐え、該応力により亜鉛合金から作られてなるねじブロック３３は高温の環境中に塑性変形を生じて損傷を受けることを防止する。
【００１３】
前記実施の形態は単なる本発明のより良い実施の形態であって、本発明の請求範囲を限定するものではなく、当業者が本発明に基づいてなしうる細部の修正或は変更などは、いずれも本発明の特許請求の範囲に属する。
【図面の簡単な説明】
【図１】本発明のソケットコネクタの分解斜視図である。
【図２】図１に示したソケットコネクタの駆動装置は閉鎖位置にある時の組立図である。
【図３】図１に示した駆動装置の局部拡大見取り図である。
【図４】本発明のソケットコネクタが閉鎖する過程中に、カバーとねじブロックとの接触応力を示した見取り図である。
【図５】従来の駆動装置の局部拡大見取り図である。
【符号の説明】
１　ソケットコネクタ
１０　ベース
１１　端子穴
１２　収容室
１３　案内部
１４　固着部
１５　開口
１６　貫通溝
２０　カバー
２１　ピン穴
２２　貫通孔
２３　摺動部
３０　駆動装置
３１　操作アーム
３２　駆動レバー
３３　ねじブロック
３３ａ　駆動面
３３ｂ　他側面（平面）
４０　蓋板
４１　収容孔
５０　固着具
６０　ロックボード
【図１】
2004047440.tif 000003
【図２】
2004047440.tif 000004
【図３】
2004047440.tif 000005
【図４】
2004047440.tif 000006
【図５】
2004047440.tif 000007